【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
軟組織ディスプレーサツールの外側シャフト表面に沿って軟組織を動かすための軟組織ディスプレーサツールであって、
中心軸に沿って細長いシャフトであって、近位端と、遠位方向に前記近位端から離間されている遠位端と、前記近位端と前記遠位端との間に等距離に配置された中央位置と、を有するシャフト本体と、外側シャフト表面と、を含む、シャフトを備え、
前記外側シャフト表面は、少なくとも１つの傾斜した溝を含み、前記少なくとも１つの傾斜した溝は、前記シャフト本体の中へと窪んでおり、（１）前記中心軸に垂直である面に対して傾斜していて、かつ２）前記中心軸の周りを回転し、前記溝は、第１の端部、及び前記遠位方向に沿って前記第１の端部から離間されている第２の端部で終端し、前記第２の端部は、前記遠位方向の反対側である近位方向に沿って前記遠位端から離間されている、軟組織ディスプレーサツール。
【請求項２】
前記シャフト本体の前記遠位端は、テーパ形状の先端部を含む、請求項１に記載の軟組織ディスプレーサツール。
【請求項３】
前記テーパ形状の先端部は、とがった先端部である、請求項２に記載の軟組織ディスプレーサツール。
【請求項４】
前記先端部は、切頭体形状である、請求項２に記載の軟組織ディスプレーサツール。
【請求項５】
前記外側シャフト表面上のそれぞれの溝の遠位に位置する、遠位に面する切断エッジを更に含む、請求項１に記載の軟組織ディスプレーサツール。
【請求項６】
前記傾斜した溝は、前記溝が、前記遠位端から前記近位端の方に見て前記遠位方向の反対側である近位方向に延びるにつれて、前記中央位置の外側表面の周りで時計回りに配向されている、請求項１に記載の軟組織ディスプレーサツール。
【請求項７】
前記シャフトは、前記近位端から前記遠位端まで前記中心軸に沿って延在する開口部を画定するようにカニューレ状にされている、請求項１に記載の軟組織ディスプレーサツール。
【請求項８】
前記シャフトは、透明又は半透明の材料を含む、請求項７に記載の軟組織ディスプレーサツール。
【請求項９】
前記開口部に受け入れられる寸法であり、かつ軟組織を穿孔するように構成されている誘導部材を更に含む、請求項７に記載の軟組織ディスプレーサツール。
【請求項１０】
前記誘導部材は、骨の中に進められるように構成される、請求項９に記載の軟組織ディスプレーサツール。
【請求項１１】
前記誘導部材は、Ｋ−ワイヤである、請求項９に記載の軟組織ディスプレーサツール。
【請求項１２】
前記誘導部材は、トロカールである、請求項９に記載の軟組織ディスプレーサツール。
【請求項１３】
前記傾斜した溝は、螺旋形である、請求項１に記載の軟組織ディスプレーサツール。
【請求項１４】
凸部における外側表面は、実質的に滑らかであり、螺旋形の溝は、前記シャフトが軟組織の中で回転すると、前記軟組織を前記外側表面に沿って前記近位方向に動かすように構成されている、請求項１に記載の軟組織ディスプレーサツール。
【請求項１５】
凸部は、前記中心軸の周りを複数の回転に沿って連続して延びる、請求項１に記載の軟組織ディスプレーサツール。
【請求項１６】
軟組織ディスプレーサツールの外側シャフト表面に沿って軟組織を動かすための軟組織ディスプレーサツールであって、
中心軸に沿って細長いシャフトであって、近位端と、遠位方向に前記近位端から離間されている遠位端と、前記近位端と前記遠位端との間に等距離に配置された中央位置と、を有するシャフト本体と、外側シャフト表面と、を含む、シャフトを備え、
前記シャフトは、少なくとも１つの螺旋形の溝を画定し、前記少なくとも１つの螺旋形の溝は、前記中心軸に向かって前記外側シャフト表面の中へと窪んでおり、前記中心軸の周りを回転して、前記シャフトの外側表面を画定する複数の凸部を画定し、前記螺旋形の溝は、前記凸部間に画定され、前記螺旋形の溝は、（１）前記中心軸に垂直である面に対して傾斜していて、かつ２）第１の端部、及び前記遠位方向に沿って前記第１の端部から離間されている第２の端部で終端し、前記第２の端部は、前記遠位方向の反対側である近位方向に沿って前記遠位端から離間されており、
前記凸部は、前記中心軸の周りを複数の回転に沿って連続して延びる、軟組織ディスプレーサツール。
【請求項１７】
前記シャフト本体の前記遠位端は、テーパ形状のとがった先端部及び切頭体形状の先端部のうちの１つを含む、請求項１６に記載の軟組織ディスプレーサツール。
【請求項１８】
前記シャフトは、前記近位端から前記遠位端まで前記中心軸に沿って延在する開口部を画定するようにカニューレ状にされており、
前記軟組織ディスプレーサツールは、前記開口部に受け入れられる寸法であり、かつ軟組織を穿孔するように構成されている誘導部材を更に含む、請求項１６に記載の軟組織ディスプレーサツール。
【請求項１９】
前記螺旋形の溝の前記第１の端部と前記螺旋形の溝の前記第２の端部との間の固定された位置に、前記シャフトによって保有された複数の視覚的マーキングを更に含み、前記視覚的マーキングは、前記外側表面において視覚的にアクセス可能である、請求項１６に記載の軟組織ディスプレーサツール。
【請求項２０】
骨から離して軟組織を動かすための軟組織ディスプレーサツールであって、
中心軸に沿って細長いカニューレ形状のシャフトであって、近位端と、遠位方向に前記近位端から離間されている遠位端と、前記遠位端における先端部と、を有するシャフト本体を含み、前記カニューレ形状のシャフトは、外側シャフト表面を画定し、前記シャフトは、少なくとも１つの螺旋形の溝を画定し、前記少なくとも１つの螺旋形の溝は、前記中心軸に向かって前記外側シャフト表面の中へと窪んでおり、前記中心軸の周りを回転して、少なくとも１つの凸部を画定し、前記凸部は、前記シャフトの外側表面を画定し、前記中心軸の周りを複数の回転に沿って連続して延び、前記少なくとも１つの螺旋形の溝は、前記中心軸の周りで前記凸部の隣接する回転間に画定され、前記少なくとも１つの螺旋形の溝は、（１）前記中心軸に垂直である面に対して傾斜していて、かつ２）第１の端部、及び前記遠位方向に沿って前記第１の端部から離間されている第２の端部で終端し、前記第２の端部は、前記遠位方向の反対側である近位方向に沿って前記遠位端から離間されている、カニューレ形状のシャフトと、
前記中心軸に沿って前記シャフトの前記先端部から延びるように前記カニューレ形状のシャフトに受け入れられる寸法である誘導部材と、
を備え、
前記カニューレ形状のシャフトは、前記中心軸の周りを前記誘導部材に対して回転可能であり、前記誘導部材は、前記誘導部材上の一定直径の固定された位置に複数のマーキングを含み、前記マーキングは、前記誘導部材の外側表面において視覚的にアクセス可能である、軟組織ディスプレーサツール。
【請求項２１】
前記誘導部材は、Ｋ−ワイヤ、トロカール、及び骨パンチのうちの１つを含む、請求項２０に記載の軟組織ディスプレーサツール。
【請求項２２】
前記誘導部材は、ねじ切りされた先端部を含む、請求項２０に記載の軟組織ディスプレーサツール。
【請求項２３】
前記誘導部材は、滑らかな外側表面を有する先端部を有する、請求項２０に記載の軟組織ディスプレーサツール。
【請求項２４】
前記シャフトは、前記外側シャフト表面上の前記少なくとも１つの溝の前記第２の端部と前記先端部との間に位置する、遠位に面する切断エッジを更に含み、前記切断エッジは、前記先端部に対して前記中心軸から離れる方向に延び、前記溝の前記第２の端部は、前記切断エッジから前記近位方向に離間している、請求項２０に記載の軟組織ディスプレーサツール。